(57)【特許請求の範囲】
【請求項１】
行及び列電極を有する強誘電性液晶を含む液晶材により構成された強誘電性液晶パネルと、前記強誘電性液晶パネルを表示駆動する行電極ドライバー及び列電極ドライバーと、入力データを受信するデータ受信部と、入力データに対して行単位で比較を行う行データ比較部と、前記行電極ドライバー及び列電極ドライバーを制御するドライバー制御部とを備えてなり、前記ドライバー制御部は、前記行データ比較部での比較結果に応じて、同時に複数行に電圧を供給する同時表示及び変更を要さない箇所の駆動を省略する表示スキップを行うことで、表示データに応じた表示を行うよう前記行電極ドライバー及び列電極ドライバーを制御することを特徴とする液晶表示装置。
【請求項２】
行及び列電極を有する強誘電性液晶を含む液晶材により構成された強誘電性液晶パネルと、前記強誘電性液晶パネルを表示駆動する行電極ドライバー及び列電極ドライバーと、入力データを受信するデータ受信部と、入力データに対して列単位で比較を行う列データ比較部と、前記行電極ドライバー及び列電極ドライバーを制御するドライバー制御部とを備えてなり、前記ドライバー制御部は、前記列データ比較部での比較結果に応じて、同時に複数行に電圧を供給する同時表示及び変更を要さない箇所の駆動を省略する表示スキップを行うことで、表示データに応じた表示を行うよう前記行電極ドライバー及び列電極ドライバーを制御することを特徴とする液晶表示装置。
【請求項３】
行及び列電極を有する強誘電性液晶を含む液晶材により構成された強誘電性液晶パネルと、前記強誘電性液晶パネルを表示駆動する行電極ドライバー及び列電極ドライバーと、入力データを受信するデータ受信部と、入力データに対して列或いは行単位で比較を行う行列データ比較部と、前記行電極ドライバー及び列電極ドライバーを制御するドライバー制御部とを備え、前記ドライバー制御部は、行又は列データ比較部の比較結果に基づいて、同時に複数行に電圧を供給する同時表示及び変更を要さない箇所の駆動を省略する表示スキップを行うことで、表示データに応じた表示を行うよう前記行電極ドライバー及び列電極ドライバーを制御することで、表示を高速化したことを特徴とする液晶表示方法。
【発明の詳細な説明】
【０００１】
【発明の属する技術分野】
本発明は、高速に表示することができる強誘電性液晶を含む液晶材により構成された液晶表示装置及び液晶表示方法に関するものである。
【０００２】
【従来の技術】
まず、図４を用いて従来の液晶表示装置の構成を示すブロック図を説明する。図４に示すように、このものは、行電極２１，２２，２３，…，ｎ及び列電極３１，３２，３３，…，ｍを有する強誘電性液晶を含む液晶材により構成された強誘電性液晶パネル１と、強誘電性液晶パネル１を表示駆動する行電極ドライバー２、列電極ドライバー３と、表示信号源（図示せず）からの入力データを受信するデータ受信部４と、この入力データと所定の順序に基づいて行電極ドライバー２及び列電極ドライバー３を制御するドライバー制御部５とから構成される。
【０００３】
次に、図５を用いて、このものの表示のタイミングを説明する。
まず、図５の区間Ａにおいて、ドライバー制御部５は、行ドライバー２が、全ての行電極２１，２２，２３，…，ｎに選択電圧を供給すると同時に、列ドライバー３が、全ての列電極３１，３２，３３，…，ｍにも選択電圧を供給するように制御する。これにより、強誘電性液晶パネル１を構成する全ての画素に同じ電圧が供給され、強誘電性液晶パネル１の全画面がクリアされる。
【０００４】
次に、区間Ｂにおいて、ドライバー制御部５は、行ドライバー２が各行電極２１，２２，２３，…，ｎに順次選択電圧を供給し、同時に列ドライバー３が選択電圧が供給された行に対応するデータに応じた電圧を供給するように制御するので、順次表示が行われる。
【０００５】
続く区間Ｃにおいて、全ての行に対する選択が終了する。しかし、そのメモリ効果により電圧を印加しなくても、その表示内容は保持される。
【０００６】
【発明が解決しようとする課題】
しかしながら、従来技術では、画面の表示速度が、強誘電性液晶パネル１を構成する行電極数に比例するため、表示装置を大画面化、高解像度化した場合、表示速度が遅くなるという問題点があった。
【０００７】
そこで本発明は、大画面、高解像度の表示装置でも高速に画面表示することができる液晶表示装置及び液晶表示方法を提供することを目的とする。
【０００８】
【課題を解決するための手段】
本発明の液晶表示装置は、行及び列電極を有する強誘電性液晶を含む液晶材により構成された強誘電性液晶パネルと、前記強誘電性液晶パネルを表示駆動する行電極ドライバー及び列電極ドライバーと、入力データを受信するデータ受信部と、入力データに対して行単位で比較を行う行データ比較部と、前記行電極ドライバー及び列電極ドライバーを制御するドライバー制御部とを備えてなり、前記ドライバー制御部は、前記行データ比較部での比較結果に応じて、同時に複数行に電圧を供給する同時表示及び変更を要さない箇所の駆動を省略する表示スキップを行うことで、表示データに応じた表示を行うよう前記行電極ドライバー及び列電極ドライバーを制御する。
【０００９】
あるいは、この構成の行と列を入れ替えて構成しても良い。
そして、本発明の液晶表示方法では、表示のスキップまたは表示の連続を利用して表示を高速化した。
【００１０】
【発明の実施の形態】
請求項１記載の液晶表示装置は、行及び列電極を有する強誘電性液晶を含む液晶材により構成された強誘電性液晶パネルと、前記強誘電性液晶パネルを表示駆動する行電極ドライバー及び列電極ドライバーと、入力データを受信するデータ受信部と、入力データに対して行単位で比較を行う行データ比較部と、前記行電極ドライバー及び列電極ドライバーを制御するドライバー制御部とを備えてなり、前記ドライバー制御部は、前記行データ比較部での比較結果に応じて、同時に複数行に電圧を供給する同時表示及び変更を要さない箇所の駆動を省略する表示スキップを行うことで、表示データに応じた表示を行うよう前記行電極ドライバー及び列電極ドライバーを制御する。
【００１１】
上記構成により、ドライバー制御部は、行データ比較部での比較結果に応じて行電極ドライバー及び列電極ドライバーを制御することができるので、変更を要さない箇所の表示を省略したり、一度に広い箇所の表示を行うことで、入力データに応じて高速に表示することができる。
【００１２】
以下、本発明の実施の形態について、図面を参照しながら説明する。
図１において、１は強誘電性液晶パネルであり、２１，２２，２３，…，ｎはその行電極、３１，３２，３３，…，ｍはその列電極である。また、２は行電極ドライバーであり、３は列電極ドライバーである
さらに、４は表示信号源（図示せず）からの入力データを受信するデータ受信部、６は入力データに対して行単位で比較を行う行データ比較部、５は行電極ドライバー及び列電極ドライバーを制御するドライバー制御部である。
【００１３】
図２には、信号発生源から入力されるデータに対応した表示内容のサンプルを示している。ここで、区間Ｗを構成する行データは、いずれも表示内容がない白地を示している。また、区間Ｂ１、Ｂ２を構成する行データは、その区間内においていずれも同じであることを示している。その他、指定されていない区間は、その区間を構成する行データは、その区間内においていずれも異なっていることを示している。
【００１４】
以上のように構成された液晶表示装置の表示動作を、図３に沿って説明する。
まず、図３において表示が開始されると、区間Ａにおいて、ドライバー制御部５は、行ドライバー２が、全ての行電極２１，２２，２３，…，ｎに選択電圧を供給すると同時に、列ドライバー３が、全ての列電極３１，３２，３３，…，ｍにも選択電圧を供給するように制御する。
【００１５】
これにより、強誘電性液晶パネル１を構成する全ての画素に同じ電圧が供給され、強誘電性液晶パネル１の全画面がクリアされる。
【００１６】
続く区間Ｂにおいて、ドライバー制御部５は、行ドライバー２が行電極２１、２２に順次選択電圧を供給し、同時に列ドライバー３が選択電圧が供給された行に対応するデータに応じた電圧を供給するように制御するので、データに応じた表示が行われる。
【００１７】
さらに、区間Ｃにおいては、ドライバー制御部５は、行データ比較部６における各行のデータ比較結果に基づき、行ドライバー２が行電極２５，２６，２７を同時に選択し、対応する列ドライバー３が、選択電圧が供給された行に対応するデータに応じた電圧を供給する。
【００１８】
これにより、行２５，２６，２７には、同じデータが表示されることになる。これは、図２における区間Ｂ１、Ｂ２に相当する。ここで、本来であれば２３，２４が選択される順番であるが、図２で示した区間Ｗに相当するのでスキップしている。
【００１９】
その後、ドライバー制御部５は、行データ比較部６における各行データ比較結果に基づき、対応する行をスキップしたり、同時に複数行を選択しながら、表示を完了する。表示が完了すると、そのメモリ効果により電圧を印加しなくてもその表示内容は保持されない。
【００２０】
勿論、上述のところにおいては、行データを基準に比較していたが、行と列を入れ替えて構成しても、差し支えない。
【００２１】
【発明の効果】
本発明によれば、行及び列電極を有する強誘電性液晶を含む液晶材により構成された強誘電性液晶パネルと、前記強誘電性液晶パネルを表示駆動する行電極ドライバー及び列電極ドライバーと、入力データを受信するデータ受信部と、入力データに対して行単位で比較を行う行データ比較部と、前記行電極ドライバー及び列電極ドライバーを制御するドライバー制御部とを備えてなり、前記ドライバー制御部は、前記行データ比較部での比較結果に応じて、同時に複数行に電圧を供給する同時表示及び変更を要さない箇所の駆動を省略する表示スキップを行うことで、表示データに応じた表示を行うよう前記行電極ドライバー及び列電極ドライバーを制御するもので、入力データに応じて、対応する行あるいは列をスキップしたり、あるいは同時に複数行あるいは複数列を選択しながら一括した表示を行うので、特に大型の液晶表示装置において、表示を大幅に高速化できる。
【図面の簡単な説明】
【図１】本発明の一実施の形態における液晶表示装置の構成を示すブロック図
【図２】本発明の一実施の形態における液晶表示装置に入力される表示データを示す図
【図３】本発明の一実施の形態における液晶表示装置の動作を示すタイミングチャート
【図４】従来の液晶表示装置の構成を示すブロック図
【図５】従来の液晶表示装置の動作を示すタイミングチャート
【符号の説明】
１  強誘電性液晶パネル
２  行電極ドライバー
３  列電極ドライバー
４  データ受信部
５  ドライバー制御部
６  行データ比較部
２１，２２，２３，・・・，ｎ  行電極
３１，３２，３３，・・・，ｍ  列電極
【図１】
0003632362.tif 000002
【図２】
0003632362.tif 000003
【図３】
0003632362.tif 000004
【図４】
0003632362.tif 000005
【図５】
0003632362.tif 000006